(57)【要約】【課題】果実の表面に、きれいな表示を簡易に施す表示具を提供する。【解決手段】表示具１０は、果実を覆った外側から光を照射し、光の透過度の違いに基づく果実の着色の違いによって、果実の表面に表示を施す。表示具１０は、光透過性と伸縮性を備え、果実を覆う基部１２と、基部１２に設けられ、基部１２より光透過度が低い部分を含む表示シート１４とを有している。【選択図】図１
2018157759.tif 000002
【特許請求の範囲】
【請求項１】
果実を覆った外側から光を照射し、前記光の透過度の違いに基づく前記果実の着色の違いによって、前記果実の表面に表示を施す表示具であって、
光透過性と伸縮性を備え、前記果実を覆う基部と、
前記基部に設けられ、前記基部より光透過度が低い部分を含む表示シートと、
を有する表示具。
【請求項２】
請求項１において、
前記基部が通気性を備えている表示具。
【請求項３】
請求項１または２において、
前記基部が網状部材である表示具。
【請求項４】
請求項１から３のいずれかにおいて、
前記表示シートが伸縮性を備えている表示具。
【請求項５】
請求項１から４のいずれかにおいて、
前記表示シートが前記基部の内側に設けられている表示具。
【請求項６】
請求項１から５のいずれかにおいて、
前記表示シートが、前記基部を挟むように外側と内側に設けられている表示具。
【請求項７】
請求項１から６のいずれかの表示具で果実を覆う被覆工程と、
前記表示具の外側から前記果実に光を照射する照射工程と、
を有する表示が施された果実の生産方法。
【請求項８】
請求項７において、
前記果実がモモである果実の生産方法。
【請求項９】
請求項７または８において、
前記照射工程では、果樹になっている前記果実に光を照射する果実の生産方法。
【発明の詳細な説明】
【技術分野】
【０００１】
本発明は、果実を覆い、外側から光を照射して果実の表面に表示を施す表示具と、この表示具を用いた果実の生産方法に関するものである。
【背景技術】
【０００２】
果実の表面に文字や図形などを形成する方法が知られている。特許文献１には、有色の合成樹脂接着剤により、メロンの表面に文字等を描く方法が記載されている。しかしながらこの方法では、合成樹脂がメロンの果肉に浸透するおそれがある。また、特許文献２には、果樹になっている果実の表皮に刃物で文字等を彫り込んだ後、果実を生育して彫り込み部をケロイド状組織で塞ぐ方法が記載されている。しかしながらこの方法では、彫り込み部から水分等が蒸発したり、病原菌が侵入したりするおそれがある。
【０００３】
また、生育途中のリンゴやメロンなどの果実の表面に文字等の形状を備えるシートを貼り付け、このシート部分の光を遮った状態で果実を育成し、果実の熟成後にシートをはがして、シート部分とそれ以外の部分の着色差で果実の表面に文字等を表示する方法も知られている。しかしながら、皮が薄い果実の表面に文字等を表示する場合、この方法では、シートを貼り付けるときに果実を傷めるおそれがある。また、モモなどのように表面に毛じが生えている果実の場合、この方法では、貼り付けたシートがはがれ落ちるおそれがある。さらに、モモなどのように収穫直前で肥大する果実の場合、この方法では、貼り付けたシートが肥大過程でずれてしまい、文字等がきれいに表示できないおそれがある。
【先行技術文献】
【特許文献】
【０００４】
【特許文献１】特開平７−２７４７２６号公報
【特許文献２】特開平９−８４４６３号公報
【発明の概要】
【発明が解決しようとする課題】
【０００５】
本発明はこのような事情に鑑みてなされたものであり、果実の表面に、きれいな表示を簡易に施すことを目的とする。
【課題を解決するための手段】
【０００６】
本発明の表示具は、果実を覆った外側から光を照射し、前記光の透過度の違いに基づく前記果実の着色の違いによって、前記果実の表面に表示を施す表示具であって、光透過性と伸縮性を備え、前記果実を覆う基部と、前記基部に設けられ、前記基部より光透過性が低い部分を含む表示シートとを有する。
【０００７】
本発明の果実の生産方法は、本発明の表示具で果実を覆う被覆工程と、表示具の外側から果実に光を照射する照射工程とを有する表示が施された果実の生産方法である。
【発明の効果】
【０００８】
本発明の表示具は、光透過性を備える基部と、基部より光透過性が低い部分を含む表示シートとを有するので、果実を覆って光を照射すれば、光の透過度の違いに基づく果実の着色の違いによって、果実の表面に簡易に表示を施せる。さらに、基部が伸縮性を備えるので、本発明の表示具で果実を覆っても、表示シートがずれにくく、きれいな表示が施せる。また、本発明の果実の生産方法は、本発明の表示具を用いるので、きれいな表示が施された果実を簡易に生産できる。
【図面の簡単な説明】
【０００９】
【図１】本発明の実施形態に係る表示具の外観図。
【図２】本発明の実施形態に係る表示具の製造工程を説明する外観図。
【図３】本発明の実施形態に係る果実の生産方法の被覆工程を説明する外観図。
【図４】本発明の実施形態に係る果実の生産方法の照射工程を説明する外観図。
【発明を実施するための形態】
【００１０】
以下、本発明の表示具と果実の生産方法について、実施形態に基づいて、図面を参照しながら説明する。なお、図面は、表示具、表示具の構成部材、および表示具の周辺部材を模式的に表したものであり、これらの実物の寸法および寸法比は、図面上の寸法および寸法比と必ずしも一致していない。なお、重複説明は適宜省略し、同一部材には同一符号を付与することがある。
【００１１】
図１は、本発明の実施形態に係る表示具１０を示している。表示具１０は、基部１２と、表示シート１４を備えている。表示具１０は、果実を覆い、果実の表面が変色する波長を含む光をその外側から照射すると、基部１２と表示シート１４のその光の透過度の違いに基づく果実の着色の違いによって、果実の表面に表示を施す道具である。基部１２は、光透過性、伸縮性、および通気性を備え、果実を覆う筒状の部材である。基部１２は、例えば、ナイロン、ポリエステル、またはポリウレタン等の伸縮性がある繊維から構成される網状部材である。基部１２の繊維自体の光透過性も確保するため、繊維の色は薄い方が好ましい。なお、網状の基部１２に代えて、目が粗い伸縮性の布や不織布等から構成される基部も採用できる。
【００１２】
基部１２が光透過性を備えるので、表示具１０で果実を覆った状態で、表示具１０の外側から光が照射されると、基部１２の表示シート１４がない部分では、この光が果実に届いて果実が着色する。「基部が光透過性を備える」とは、基部が果実を覆った状態で、果実が着色するような光を基部に照射したときに、この光が果実に届いて着色することをいう。多くの果実は紫外線が照射されると着色するので、基部１２は、紫外線が透過すること、例えば紫外線透過率が３０％以上であることが好ましい。光としては、太陽光のような自然光が一般的ではあるが、紫外線ランプ等の各種人工光であってもよい。
【００１３】
また、基部１２が伸縮性を備えるので、基部１２を径方向に広げて果実にかぶせることができる。そして、基部１２を果実にかぶせた後に広げる力を解放すると、基部１２が縮んで果実に接する。このため、果実に直接触れることなく、表示具１０で果実を覆うことができる。したがって、果実が痛みにくい。また、モモのような毛じがある果実に表示シートを直接貼り付けると表示シートがすぐ剥がれるが、表示具１０を使用すれば、果実から表示シート１４が剥がれるおそれがない。「基部が伸縮性を備える」とは、果樹になっている果実を表示具１０で覆った状態で、果実の大きさの変化に合わせて基部１２も伸び縮みすることをいう。基部１２が伸縮性を備えるので、収穫直前に果実が肥大するとき、果実の大きさに合わせて基部１２が伸びる。このため、果実の熟成を妨げない。
【００１４】
そして、基部１２が通気性を備えるので、果実が蒸れない。「基部が通気性を備える」とは、果樹になっている果実を基部が覆った状態で、果実から出入りする水蒸気と空気が基部を透過できることをいう。なお、基部１２は通気性を備えていなくてもよい。通気性を備えていない基部１２を用いる場合、開口が形成されるように基部１２で果実を覆うことによって、その開口部で水蒸気と空気が透過できる。
【００１５】
さらに、基部１２が筒状なので、果樹になっている果実を覆いやすい。また、基部１２が網状であると、果実への光の照射量が確保できる。基部は、網状ではなく、袋状やシート状であってもよい。基部が袋状やシート状の場合、果実から表示具１０が落下しないように、必要に応じて果樹の枝１６に基部を縛りつけてもよいし、基部に紐を設けてまたは通して、この紐を果樹の枝１６に縛りつけてもよい。
【００１６】
表示シート１４は、文字、記号、図形、模様、またはこれらの組み合わせ等の形状を有するシート状部材で、粘着されて基部１２に設けられている。表示シート１４は、基部１２より光透過度が低い部分を含む。光透過度が場所によって異なる表示シート１４を用いれば、果実の表面に模様の表示を施せる。表示シート１４の全体の光透過度が、基部１２の光透過度より低いことが好ましい。果実の表面に明瞭な表示を施せるからである。表示シート１４は、遮光性を備えることがさらに好ましい。基部１２と表示シート１４の光透過度の差があるほど、果実の表面に明瞭な表示が施せるからである。
【００１７】
表示シート１４も伸縮性を備えることが好ましい。果実が肥大する過程で、基部１２とともに表示シート１４も伸び、果実に対する表示シート１４の位置ずれが抑えられるからである。「表示シートが伸縮性を備える」とは、果樹になっている果実を表示具１０で覆った状態で、果実の大きさの変化に合わせて表示シート１４も伸び縮みすることをいう。表示シート１４は、例えば、ポリエステル製シート、ナイロン製シート、ビニル製シート、ポリウレタン製シート、またはゴム製シート等から作製することができる。
【００１８】
図２は、表示具１０の製造工程を示している。表示具１０は、例えば、アイロンを用いて、熱圧着シートで表示シート１４を基部１２に接着して製造する。このとき、表示シート１４は、基部１２の内側に接着することが好ましい。基部１２の内側に表示シート１４を設けることによって、接着剤が果実に接着するのを抑えられるからである。表示シートが、基部１２を挟むように外側と内側に設けられていることがさらに好ましい。網状の基部１２に表示シート１４をしっかりと固定できるからである。
【００１９】
この場合、外側の表示シートと内側の表示シートの間に設けた接着層によって、２枚の表示シートを基部１２の網部に固定する。接着層は、基部１２の外側と内側のどちらに設けてもよい。また、外側または内側の一方の表示シートの輪郭が、他方の表示シートの輪郭の一部であってもよい。一方の表示シートが他方の表示シートを基部に固定する役割を果たし、他方の表示シートが果実への光の照射を遮る役割を果たせばよいからである。
【００２０】
図３および図４では、本発明の実施形態に係る果実の生産方法を説明している。本実施形態の果実の生産方法は、被覆工程と、照射工程を備えている。被覆工程では、図３に示すように、果実の例であるモモ１８の下から表示具１０をかぶせることによって、モモ１８を表示具１０で覆う。このとき、モモ１８の表示を施したい位置に、表示シート１４が配置されるよう調節する。基部１２が伸縮性を備えているので、表示具１０でモモ１８を覆った後でも、表示シート１４の位置の微調整ができる。
【００２１】
被覆工程は、雨除けや防菌等のためにモモ１８を覆っていた袋を収穫の数日前に取り外した直後に行うことが好ましい。表示具１０でモモ１８を覆った後は、基部１２の網部を枝１６に引っ掛けたり、基部１２を枝１６に縛りつけたり、別途用意した紐で基部１２を枝１６に縛りつけたり、基部１２の伸縮性によってモモ１８に密着させたりすることによって、モモ１８を表示具１０で覆っている状態を維持する。
【００２２】
照射工程では、図４に示すように、表示具１０の外側からモモ１８に光を照射する。本実施形態では、モモ１８が果樹になっているので、果樹を屋外で放置して、表示具１０を介してモモ１８に日光を照射させるだけである。基部１２と表示シート１４の光の透過度が違う、すなわち、基部１２の光の透過度が高く、表示シート１４の光の透過度が低いので、表示シート１４で覆われた部分のモモ１８の表面はあまり着色せず白色のままで、表示シート１４がない基部１２で覆われた部分のモモ１８の表面は桃色に着色する。モモ１８の表面でのこれらの着色の違いによって、モモ１８の表面に「寿」の白い文字が表示される。
【００２３】
なお、果樹から摘んだ果実を表示具１０で覆い、太陽光や紫外線ランプ等の人工光を表示具１０の外側から果実に照射してもよい。モモ１８のように表面に毛じが生えている果実に表示シート１４を直接接着しても剥がれやすいが、本実施形態の表示具１０を用いれば、モモ１８の表面の所定の位置に表示シート１４を長時間配置できる。このため、モモ１８の表面の表示シート１４がある部分とない部分の光照射の違いに基づく着色の違いによって、モモ１８の表面に表示を施すことができる。
【符号の説明】
【００２４】
１０  表示具
１２  基部
１４  表示シート
１６  果樹の枝
１８  モモ
【図１】
2018157759.tif 000003
【図２】
2018157759.tif 000004
【図３】
2018157759.tif 000005
【図４】
2018157759.tif 000006